(57)【要約】【課題】  柔軟性素材で作られた帯状の一定の長さの穴開きベルトでヒールの高い靴の足裏と靴の一体感を増し、足の疲労度を大きく減じる事を目的とする。【解決手段】  柔軟性素材で作られた帯状ベルトで女性靴のヒール６を貫通させる穴２が開いていて、其処にヒールを貫通させ、当該ベルトの両端７を足首甲側へ回し結んで締める事を特徴とする。【選択図】図２
2017148458.tif 000002
【特許請求の範囲】
【請求項１】
柔軟性素材で作られた帯状の一定の長さのベルトであってその一部に女性靴のヒールを貫通させる穴が開けられていることを特徴とするヒールベルト。
【請求項２】
前記ヒールを貫通させる穴の形状は、Ｉ状の切れ目でベルトの縁と平行に沿うように穴がかりされて入り、切れ目の長さは、ヒールの根元の太さに合わせ異なる長さを持つことを特徴とするヒールベルト。
【請求項３】
前記ヒールを貫通させる穴のベルトにおける位置は、当該ヒールベルトで足首を締める手段によって位置を自由に変えられる、又、ベルトの巾内の位置は、穴から見て踵側が広く爪先側が狭くなる位置にあることを特徴とするヒールベルト。
【請求項４】
前記ヒールベルトの両端を使い足首を単に締める手段と共に一般に使用されているペルト穴式金具留やマッジックテープ（商品名ベルクロ）のオス・メスを活用して締めることを特徴とするヒールベルト。
【請求項５】
前記ヒールベルトの両端が繋がった筒状の弾性部材で作られたベルトは、ベルトを貫通させたヒールと足首甲を包帯の様に密着させる働きをすることを特徴とするヒールベルト。
【請求項６】
前記ヒールベルトには各種のカラフルな色付け並びにブランドロゴ、ジュエリーを付けたり模様に沿ったカットをされたことを特徴とするヒールベルト。
【発明の詳細な説明】
【技術分野】
【０００１】  本発明は、一般の服や雑貨に使用される柔軟性素材で締めて緩みやたるみを無くすベルトでファッションの一つとしてデザインが綺麗、可愛いアクセントとしてのベルト、その他のベルトに関する。
【背景技術】
【０００２】  従来のヒールが高い女性靴は、足指先が低く踵が高く作られており、様々な形状やデザインが為されている。しかしながら足と靴の一体性の点では、足指先と足の踵で靴に引っ掛けるか、一部に靴の中程に装着されているベルトで一体性を持たせている。【０００３】  ヒールが高い靴は、その構造上足裏が斜めに靴と密着する形となり、足指先部分に力と体重が多くかかることで靴の中で足裏が靴の爪先側へ常に滑る状態となっている。足裏が靴の爪先側へ移動しようとする力は大きいものであり、靴の中程に装着されているベルト靴の場合も同様で、歩行中、靴と踵に隙間が生じることで靴と足の一体感が減じ、足指先だけで靴との一体感を保持している状況である。
【発明の開示】
【発明が解決しようとする課題】
【０００４】  上述の如く、従来のヒール高い靴は、その構造から足裏が靴の爪先側へ体重と共に移動しようとする力が、大変大きいものであり、靴の中程に装着されているベルト靴においても靴と足踵に隙間が生じ、足裏と靴の一体感が損なわれ、足指先を主とした靴との一体感を保持しての歩行は大変辛い。【０００５】  本発明は、このような点に鑑みてなされたものであり、その目的は、ヒールの高い靴のそのヒールを活用し、ヒールと足首甲とを繋ぎ一体化させるベルトを着用することで安価で且つ容易に足裏と靴が一体化することにある。
【課題を解決しようとするための手段】
【０００６】  上述の目的を達成する本発明のヒールベルトは、柔軟性素材で作られた帯状の一定の長さで作られたベルトであって、その一部に女性靴のヒールを貫通させる穴が開けられていることを特徴とする。
【０００７】  前記ヒールを貫通させる穴の形状は、Ｉ状の切れ目でベルトの縁と平行に沿うように穴がかりされている、その切れ目の長さは、ヒールの根元の太さに合わせて異なる長さを持つことを特徴とする。
【０００８】  前記ヒールを貫通させる穴の位置は、靴と足裏とをしっかりと一体化するための締める手段によって異なり、例えば、ヒールを貫通したベルトの両端部を足首甲側へ回ししっかりと結び締める場合の穴の位置は、ベルトの真ん中であり、ベルト穴式金具留の場合は、デザインによって金具の位置が確定されるとそれに合う穴の位置となる。マジックテープをベルト両端部に使用し締める場合も上記と同様である。
【０００９】前記ヒールベルトの両端が繋がった筒状の弾性部材で作られたベルトは、ヒールを貫通させたベルトが足首甲とヒールをより簡単にしっかりと密着させる働きをし加えてベルトの着脱も簡単である。
【発明の効果】
【００１０】以上説明したように本発明によれば、柔軟性素材で作られた帯状の一定の長さのベルトで、その一部に女性靴のヒールの付け根迄貫通させる一筋の開けられた穴にヒールを貫通させてベルトの両端部を足首甲側に回してしっかり締めることで足裏の踵部と靴がしっかりと密着し歩行中も踵部と足首甲が常にベルトで繋がり一体化することで、足の疲労度は大幅に減じることにきわめて有効である。
【発明を実施するための最良の形態】
【００１１】  以下本発明の実施の形態を図面に基づき詳細を説明する。【００１２】  図１〜図５は、本発明の第１の実施の形態に係り、図１はその平面図と断面図、図２はその使用斜視図、図３はその留金具をつかった使用斜視図、図４はヒール背面からの使用斜視図、図５は筒状の弾性部材で作られ装飾を施したベルトの使用斜視図である。【００１３】  図１に示すように引っ張り強度に強い柔軟性素材で作られた帯状一定の長さのベルト１には女性靴のヒールを貫通させる穴２がベルト長手と平行に沿うようにＩ状の切れ目で入りヒールの付け根の大きさに合わせて開けられている。その穴２は、ヒールが貫通した際に、穴が広がらないようにしっかりと穴かがり３がされている。【００１４】  図１に示すヒールを貫通させる穴２のベルトにおける位置は真ん中に開いている、これは図２に示すようにベルトをヒール６に貫通させて、ベルトの両端７を足首甲側へ回して足裏と靴をしっかりと密着させた上で７を結ぶ事例である。【００１５】  図３に示すベルトは、足裏と靴をしっかりと締める手段にベルト穴式金具留９をベルトの一方の端１０に使用していることからベルト穴締め金具留９の位置が靴片側に偏り位置することで、短いベルト１０の長さに合うようにヒールを貫通する穴が開く形となる。【００１６】  図１に示すようにヒールを貫通させる穴２は、ベルト巾の真ん中にあるのではなく短部５と長部４が示す通り、ややベルトの一方の縁に寄って切れ目２が入っている。これは、図２と図３に示すようにベルトを締めた際、ベルト巾長部４つまりはベルト穴から見て踵側に一番引っ張り強度がかかることから幅広にする事で引っ張り強度を分散し耐久性を増すように工夫されている。【００１７】  図５は、ヒールの両端が繋がった筒状の弾性部材で作られたベルトを使用した事例であり筒状の中に靴を入れ、穴２にヒール６を貫通させ足首甲を筒中へ滑り入れて靴を履くことでより簡単に足と靴の一体化を図れる。【００１８】  図１〜図５に示すようにベルトは、各種の色を付けてファッション性を増すと共にブランドロゴや図５の８のようにジュエリーを付けたり模様に沿ったカットされて華やかさを演出するベルトもある。【００１９】  更に実施例では、帯状ベルトについて説明しているが、ヒールと足首をしっかり締める手段は帯に限られるものでは無く、紐状風の部材もそのヨリを解きヒールが貫通する穴の大きさにすることで同様の用途とすることは可能である。
【図面の簡単な説明】
【００２０】
【図１】  本発明の平面図及び断面図
【図２】  本発明の第１の実施の形態に係る外観斜視図である。
【図３】  本発明の第１の実施の形態に係る外観斜視図である。
【図４】  本発明の第１の実施の形態に係るヒール背面図である。
【図５】  本発明の第１の実施の形態に係る外観斜視図である。
【図１】
2017148458.tif 000003
【図２】
2017148458.tif 000004
【図３】
2017148458.tif 000005
【図４】
2017148458.tif 000006
【図５】
2017148458.tif 000007